(57)【要約】【課題】携帯用パーソナルコンピュータ等の電子機器の軽量化がすすみ、マグネシウムなどの筺体ではなく、合成樹脂筺体が増加している中、無線アンテナの接地部分にアルミニウムテープ等を貼ることにより接地を行うことは、工程数、重量、厚さ等が増加するという課題がある。【解決手段】ＬＣＤ８の枠組みであるベゼルに無線アンテナ２、３を設ける場合に、ベゼルを金属ベゼル１にすることにより、金属ベゼル１が無線アンテナ２、３の十分に広い面積の接地の役割を果たすことにより無線アンテナを向上させ、携帯用ＰＣ等の電子機器の良好な無線通信を可能とする。【選択図】      図１
2006303911.tif 000002
【特許請求の範囲】
【請求項１】
表示装置を有した電子機器において、
前記表示装置を覆う金属ベゼルと、
前記金属ベゼルに取り付けられた１以上の無線アンテナと、
前記無線アンテナの送受信手段とを具備し、
前記無線アンテナは前記金属ベゼルによって接地される
ことを特徴とする電子機器。
【請求項２】
前記無線アンテナは、前記金属ベゼルに脱着可能に取り付けられた
ことを特徴とする請求項１記載の電子機器。
【請求項３】
前記無線アンテナは、逆Ｆ型アンテナである
ことを特徴とする請求項１または請求項２記載の電子機器。
【請求項４】
前記無線アンテナは、金属薄膜を絶縁性の薄膜シートで挟んだＦＰＣから形成されている
ことを特徴とする請求項１から３の中で少なくとも一項に記載の電子機器。
【請求項５】
前記金属ベゼルが、前記無線アンテナの位置のみ合成樹脂製である
ことを特徴とする請求項１から４の中で少なくとも一項に記載の電子機器。
【発明の詳細な説明】
【技術分野】
【０００１】
本発明は、無線通信機能を備えたパーソナルコンピュータ（以下、ＰＣという）等の電子機器に関する。
【背景技術】
【０００２】
近年、無線ＬＡＮシステムを供え、無線信号で情報授受を行えるＰＣが増加している。
【０００３】
ＰＣ側には、例えば２ＧＨｚ帯に共振点をもつアンテナが搭載されている場合がある。あるいは、周波数の異なる帯域に適した複数のアンテナを１つのアンテナ装置に共有する電子機器が提案されている。具体的には、無線ＬＡＮのようにビームを絞ったアンテナを周方向に配列したアンテナを必要とするシステムにおいては、ＰＨＳや携帯電話の周波数でも通信を行えるようにする周波数共有の電子機器である（例えば、特許文献１参照）。
【０００４】
また、良好な送受信環境を得るために、できるだけ高い位置にアンテナを設けるとともに、携帯用のノート型ＰＣのように閉じた状態でも送受信できる電子機器も提案されている（例えば、特許文献２参照）。
【０００５】
上述の電子機器の具体的な従来例として、無線アンテナを保持するＰＣを挙げ、このＰＣが保持する無線アンテナの取り付け方法及び無線アンテナの接地方法について以下に説明する。
【０００６】
表示装置が、例えば液晶表示装置（以下、ＬＣＤという）の場合、このＬＣＤは筺体にはめ込まれており、無線アンテナは、このＬＣＤと筺体上部に設けられている。無線アンテナを筺体に取り付ける方法は、例えば、筺体の材料がマグネシウムである場合は、無線アンテナの接地部分をネジによってマグネシウムの筺体に留めることで、筺体が無線アンテナの接地（グラウンド／ＧＮＤ）の役割を果たす。
【０００７】
また、筺体の材料が合成樹脂である場合には、無線アンテナの接地部分を、例えば、アルミニウムあるいは銅等の金属テープによって合成樹脂の筺体に留めることで、金属テープが無線アンテナの接地の役割を果たす。
【特許文献１】特開平１０−４１７４４号公報
【特許文献２】特開２０００−２８４８５４号公報
【発明の開示】
【発明が解決しようとする課題】
【０００８】
しかしながら、携帯用ＰＣ等の電子機器の軽量化が進み、マグネシウムなどの筺体ではなく、合成樹脂製の筺体が増加しているなか、無線アンテナ接地部分にアルミニウムテープ等を貼ることにより接地することは、工程数、重量、厚さの点で不利である。
【０００９】
従って、本発明は、携帯用ＰＣ等の電子機器の軽量化を進め、工程数を増やすことなく無線アンテナの接地面積を十分にとり、アンテナ性能を高めた無線通信機能を備えている電子機器を提供することを目的とする。
【課題を解決するための手段】
【００１０】
本発明は、表示装置と、前記表示装置の外周に設けられた金属ベゼルと、前記金属ベゼルに取り付けられた１以上の無線アンテナと、前記無線アンテナの送受信手段とを具備し、前記無線アンテナは前記金属ベゼルによって接地されることを特徴とする電子機器である。
【発明の効果】
【００１１】
本発明によれば、金属ベゼルによって無線アンテナの接地面積を十分にとることができ、アンテナ性能を高めた電子機器を提供することができる。
【発明を実施するための最良の形態】
【００１２】
以下、本発明の電子機器の一実施形態について、ＰＣを例として、図面を参照しながら説明する。
【００１３】
［第１の実施形態］
図１は、第１の実施形態のＰＣを示す外観図である。
【００１４】
ＰＣ本体７の後部から金属ベゼル１が立ち上がっている。この金属ベゼル１は、額縁状であってＬＣＤ８を収納している。また、金属ベゼル１の上面には、所定間隔を開けて無線アンテナ２，３が立設されている。なお、金属ベゼル４の背面は合成樹脂製の筐体（図示せず）が設けられている。
【００１５】
２個の無線アンテナ２，３からアンテナケーブル（同軸線）４，５から延び、ＰＣ本体７に内蔵されている無線ＬＡＮ送受信部６と接続されている。
【００１６】
ここで、無線アンテナ２、３について図２に基づいて詳述する。
【００１７】
無線アンテナ２、３は、例えば２ＧＨｚ帯に共振点をもち、図２に示すような逆Ｆ型アンテナとなっている。図２に示すように、逆Ｆ型アンテナ９は、無線アンテナの一種であり、形状がＦを倒した形に見えることから逆Ｆ型アンテナと呼ばれ、接地面１０に設けられている。なお、この接地面１０が金属ベゼル１に相当する。また、この逆Ｆ型アンテナ９は、電力供給部１１から電力を供給されている、具体的には、、図１の固有インピーダンス（例えば５０Ω）をもつアンテナケーブル４、５を介して無線ＬＡＮ送受信部６より電力が供給される。
【００１８】
逆Ｆ型アンテナ９は、アンテナ上で複数の方向に電流が存在するため無指向性を有しており、アンテナとしては性能が良い。しかしながら、この特性を十分に引き出すためには広い接地面積が必要である。本実施形態のように、金属ベゼル１を接地することにより十分に広い接地面積を確保することが可能になり、この上記のような逆Ｆ型アンテナの特性を十分に引き出すことが可能となる。
【００１９】
また、携帯用ＰＣにおいては、アンテナ部分を小型、薄型にする必要がある。そのため、無線アンテナ２、３を例えば、フレキシブル・プリント・サーキット（以下、ＦＰＣという）で形成する。この場合には、逆Ｆ型の金属薄膜が合成樹脂製の薄膜シートに挟まれた構造であるため、前記薄膜シートから金属薄膜の一部を突出させて、この突出した金属薄膜を金属ベゼルに固定すると共に、電気的に接続する。これによって、金属ベゼル１によって接地するができ、接地面積は十分確保することができる。
【００２０】
上記のように逆Ｆ型アンテナの無線アンテナ２、３と無線ＬＡＮ送受信部６を用いることにより、例えばＰＣ間を無線信号で情報の授受を行うことができる。
【００２１】
なお、無線ＬＡＮ送受信部６の位置、無線アンテナ２、３の大きさは、所望とする周波数により、微調整が施される。
【００２２】
［変更例］
図１では、無線アンテナ２、３は外側に設けてあるが、金属ベゼルが合成樹脂製の筺体に収納されている場合には、無線アンテナ２、３を筐体の内側に設けることができる。
【００２３】
また、マグネシウム等の金属製の筺体に金属ベゼル１を収納してもよい。この場合においては、無線アンテナ２、３にあたる部分のみ合成樹脂等の電波を遮蔽しない材料に変えることにより、無線の送受信することができるので、無線アンテナ２、３を内側に設けることができる。例えば、無線アンテナ２、３にあたる部分のみ合成樹脂のカバーで覆う。
【００２４】
また、上記実施形態では、無線アンテナ２、３は、２個であるが、所望とする無線アンテナ機能を十分に発揮するために、無線アンテナ数を３個以上に増やすことも可能である。
【００２５】
上記実施形態では、ＬＣＤを用いて説明したが、これに代えて、有機ＥＬ表示装置、無機ＥＬ表示装置、プラズマディスプレイ等の種類のディスプレイを収納する金属ベゼルに適用される。
【００２６】
［第２の実施形態］
次に、第２の実施形態のＰＣについて図３に基づいて説明する。
【００２７】
図３は、本実施形態のＰＣの外観図である。なお、図１と同等部分には同一符号を付し、その説明は省略する。
【００２８】
符号１３、１４は、取外し可能な無線アンテナであり、符号１２は、無線アンテナ１３、１４を取り付けられるように切り込み部１５、１６が入っている金属ベゼルである。
【００２９】
なお、複数の切り込み部１５、１６を設けることで、上記のように３個以上の複数の無線アンテナ１３、１４を設置できると共に、また、無線アンテナ１３、１４の位置調整を容易にできる。
【００３０】
無線アンテナ１３、１４がＦＰＣによって形成されている場合は、第１の実施形態と同様に金属薄膜の一部を突出させて接続してもよいが、これに代えて、薄膜シートに金属薄膜を収納した状態で切り込み部１５、１６に取り付けても良い。この場合には、電気的に接続されていないように思えるが、絶縁物である薄膜シートの厚みが十数ミクロン程度であれば、１ＧＨｚ以上の周波数では、容量結合により導通状態とみなすことができ電気的接合は十分にとれるからである。したがって、金属ベゼル１２が十分に接地としての役割を果たすことができる。
【００３１】
また、第１の実施形態においても、同様に薄膜シートに金属薄膜を収納した状態で金属ベゼル１に固定してもよい。
【００３２】
なお、本発明は上記各実施形態に限らず、その主旨を逸脱しない限り種々に変更することができる。
【図面の簡単な説明】
【００３３】
【図１】本発明の第一の実施形態におけるＰＣの外観図である。
【図２】図１のアンテナ保持装置に用いられている逆Ｆ型アンテナの説明図である。
【図３】本発明の第２の実施形態におけるＰＣの外観図である。
【符号の説明】
【００３４】
１        金属ベゼル
２、３    無線アンテナ
４、５    アンテナケーブル
６        無線ＬＡＮ送受信部
７        ＰＣ本体
８        ＬＣＤ
９        逆Ｆ型アンテナ
１０        接地面
１１        電力供給部
１２        金属ベゼル
１３、１４  無線アンテナ
１５、１６  金属ベゼル切込み部
【図１】
2006303911.tif 000003
【図２】
2006303911.tif 000004
【図３】
2006303911.tif 000005